(57)【要約】【課題】簡単に装着することができ、かつ、乳幼児を担ぐ者の肩への負担を軽減することができる子守帯を提供すること。【解決手段】親側装着具（２）は、親側装着具（２）に連結された乳幼児保持具（７）を下から持ち上げるように覆うカバー部材（５０）を含み、子守帯（１）は、乳幼児保持具（７）の上方部分と、一対の肩ベルト（３）の一方端部分とを着脱可能に連結する第１連結具（３３，４３）と、カバー部材（５０）の表面部分と一対の肩ベルト（３）の他方端部分とを着脱可能に連結する第２連結具（３４，４４）とを備える。【選択図】図１
2018064634.tif 000002
【特許請求の範囲】
【請求項１】
乳幼児を担ぐ者の両肩に掛けられる一対のループ状肩ベルトと、前記一対の肩ベルトの両端部分に連結され、乳幼児と乳幼児を担ぐ者との間に配置されるシート部材とを含む親側装着具と、
前記親側装着具とは分離して設けられ、乳幼児の胴部を保持する乳幼児保持具と、を備えた子守帯であって、
前記親側装着具は、前記親側装着具に連結された前記乳幼児保持具を下から持ち上げるように覆うカバー部材を含み、
前記子守帯は、
前記乳幼児保持具の上方部分と、前記一対の肩ベルトの一方端部分とを着脱可能に連結する第１連結具と、
前記カバー部材の表面部分と前記一対の肩ベルトの他方端部分とを着脱可能に連結する一対の第２連結具とを備える、子守帯。
【請求項２】
前記一対の第２連結具は、前記一対の肩ベルトの他方端部分から分岐して延びる第２帯体と、前記第２帯体の先端部に取り付けられる第２係合部と、前記カバー部材の表面部分に取り付けられる第２被係合部とを含む、請求項１に記載の子守帯。
【請求項３】
前記親側装着具は、前記シート部材の下方に位置し、乳幼児を担ぐ者の腰に装着される腰ベルトを含む、請求項１または２に記載の子守帯。
【請求項４】
前記乳幼児保持具は、左上側部および右上側部を含む背当て部と、前記背当て部の下方に連なる股当て部と、前記股当て部の下方に連なる前当て部とによって構成される布材であり、
前記前当て部を折り返し、前記前当て部の両側部と、前記背当て部とを連結することによって前記背当て部と前記前当て部との間で乳幼児の胴部を保持する空間を形成する、請求項１〜３のいずれかに記載の子守帯。
【請求項５】
前記第１連結具は、前記一対の肩ベルトの一方端部分から分岐して延びる第１帯体と、前記第１帯体の先端部に取り付けられる第１係合部と、前記乳幼児保持具の前記左上側部および前記右上側部に取り付けられた第１被係合部とを含む、請求項４に記載の子守帯。
【請求項６】
前記カバー部の上方側端部と前記乳幼児保持具の前記左上側部および前記右上側部とを着脱可能に連結する第３連結具をさらに有する、請求項４または５に記載の子守帯。
【請求項７】
前記親側装着具は、前記カバー部と前記シート部との間から延出する第１面ファスナを有し、前記乳幼児保持具は、前記股当て部の裏面に位置し、前記第１面ファスナと連結する第２面ファスナを有する、請求項１〜６のいずれかに記載の子守帯。
【請求項８】
前記第１面ファスナと前記第２面ファスナとの間に、乳幼児の臀部の位置を上方にもたらす臀部高さ調節部材をさらに備える、請求項７に記載の子守帯。
【請求項９】
前記乳幼児保持具には、ヘッドサポートを含む補助シートが取り付けられ、
前記補助シートは、前記乳幼児保持具の前記左上側部および前記右上側部に取り付けられる、請求項６〜８のいずれかに記載の子守帯。
【請求項１０】
乳幼児を担ぐ者の両肩に掛けられる一対のループ状肩ベルトを含む親側装着具と、
前記親側装着具とは分離して設けられ、乳幼児の胴部を保持する乳幼児保持具と、
前記乳幼児保持具の上方部分と、前記一対の肩ベルトの一方端部分とを着脱可能に連結する連結具とを備え、
前記連結具は、前記一対の肩ベルトの一方端部分に取り付けられた一対の係止具と、前記乳幼児保持具の上方に取り付けられた被係止具とを含み、前記係止具および前記被係止具のうちの少なくとも一方は、長さ調節可能である、子守帯。
【請求項１１】
前記一対の係止具は、前記一対の肩ベルトの一方端部分から分岐して延びる帯体と、前記帯体の先端部に取り付けられ、前記帯体に沿って移動可能な係合部とを含み、
前記一対の被係止具は、前記乳幼児保持具の上方に取り付けられる被係合部とを含む、請求項１０に記載の子守帯。
【請求項１２】
前記乳幼児保持具は、左上側部および右上側部を含む背当て部と、前記背当て部の下方に連なる股当て部と、股当て部の下方に連なる前当て部とによって構成される布材であり、
前記前当て部を折り返し、前記前当て部の両側部と、前記背当て部とを連結することによって前記背当て部と前記前当て部との間で乳幼児の胴部を保持する空間を形成し、
前記左上側部および右上側部には、前記被係合部が取り付けられる、請求項１０または１１に記載の子守帯。
【発明の詳細な説明】
【技術分野】
【０００１】
この発明は、子守帯に関し、特に、一対のループ状肩ベルトを含む親側装着具と、親側装着具とは分離して設けられ、乳幼児の胴体を保持する乳幼児保持具とを備えた子守帯に関する。
【背景技術】
【０００２】
従来から、親の両肩に掛けられる肩ベルトと、乳幼児の胴部を保持する子守帯本体とが分離可能な子守帯が知られている。たとえば、特開２０１１−１６７４９４号公報（特許文献１）には、乳幼児に子守帯本体を装着させたまま、乳幼児を乳母車に乗せることができる子守帯が知られている。
【０００３】
また、特表２００７−５０３８７９号公報（特許文献２）には、子守帯本体を乳幼児に装着させた状態で、乳幼児を外方から覆うカバー部を有する子守帯も知られている。
【先行技術文献】
【特許文献】
【０００４】
【特許文献１】特開２０１１−１６７４９４号公報
【特許文献２】特表２００７−５０３８７９号公報
【発明の概要】
【発明が解決しようとする課題】
【０００５】
特許文献１に開示されている肩ベルトと子守帯本体とが分離可能な子守帯では、肩ベルトを親の肩に担ぎ、子守帯本体を乳幼児に装着した後、肩ベルトを子守帯本体に連結するためには、親が乳幼児の近くまで寝そべるように前屈みになる必要があり、肩ベルトに子守帯本体を装着することに苦労していた。
【０００６】
また、特許文献２の子守帯は、肩ベルトだけで子守帯本体に装着された乳幼児の加重を支えているため、親への負担が大きかった。
【０００７】
本発明は、上記のような課題を解決するためになされたものであって、その目的は、簡単に装着することができ、乳幼児を担ぐ者の肩への負担を軽減することができる子守帯を提供することを目的とする。
【課題を解決するための手段】
【０００８】
この目的のため本発明の一態様に係る子守帯は、乳幼児を担ぐ者の両肩に掛けられる一対のループ状肩ベルトと、一対の肩ベルトの両端部分に連結され、乳幼児と乳幼児を担ぐ者との間に配置されるシート部材とを含む親側装着具と、親側装着具とは分離して設けられ、乳幼児の胴部を保持する乳幼児保持具と、を備えた子守帯であって、親側装着具は、親側装着具に連結された乳幼児保持具を下から持ち上げるように覆うカバー部材を含み、子守帯は、乳幼児保持具の上方部分と、一対の肩ベルトの一方端部分とを着脱可能に連結する第１連結具と、カバー部材の表面部分と一対の肩ベルトの他方端部分とを着脱可能に連結する第２連結具とを備える。
【０００９】
好ましくは、一対の第２連結具は、一対の肩ベルトの他方端部分から分岐して延びる第２帯体と、第２帯体の先端部に取り付けられる第２係合部と、カバー部材の表面部分に取り付けられる第２被係合部とを含む。
【００１０】
好ましくは、親側装着具は、シート部材の下方に位置し、乳幼児を担ぐ者の腰に装着される腰ベルトを含む。
【００１１】
好ましくは、乳幼児保持具は、左上側部および右上側部を含む背当て部と、背当て部の下方に連なる股当て部と、股当て部の下方に連なる前当て部とによって構成される布材であり、前当て部を折り返し、前当て部の両側部と、背当て部とを連結することによって背当て部と前当て部との間で乳幼児の胴部を保持する空間を形成する。
【００１２】
好ましくは、第１連結具は、一対の肩ベルトの一方端部分から分岐して延びる第１帯体と、第１帯体の先端部に取り付けられる第１係合部と、乳幼児保持具の左上側部および右上側部に取り付けられた第１被係合部とを含む。
【００１３】
好ましくは、カバー部の上方側端部と乳幼児保持具の左上側部および右上側部とを着脱可能に連結する第３連結具をさらに有する。
【００１４】
好ましくは、親側装着具は、カバー部とシート部との間から延出する第１面ファスナを有し、乳幼児保持具は、股当て部の裏面に位置し、第１面ファスナと連結する第２面ファスナを有する。
【００１５】
好ましくは、第１面ファスナと第２面ファスナとの間に、乳幼児の臀部の位置を上方にもたらす臀部高さ調節部材をさらに備える。
【００１６】
好ましくは、乳幼児保持具には、ヘッドサポートを含む補助シートが取り付けられ、補助シートは、乳幼児保持具の左上側部および右上側部に取り付けられる。
【００１７】
この目的のため本発明の一態様に係る子守帯は、乳幼児を担ぐ者の両肩に掛けられる一対のループ状肩ベルトを含む親側装着具と、親側装着具とは分離して設けられ、乳幼児の胴部を保持する乳幼児保持具と、乳幼児保持具の上方部分と、一対の肩ベルトの一方端部分とを着脱可能に連結する連結具とを備え、連結具は、一対の肩ベルトの一方端部分に取り付けられた係止具と、乳幼児保持具の上方に取り付けられた被係止具とを含み、係止具および被係止具のうちの少なくとも一方は、長さ調節可能である。
【００１８】
好ましくは、一対の係止具は、一対の肩ベルトの一方端部分から分岐して延びる帯体と、帯体の先端部に取り付けられ、帯体に沿って移動可能な係合部とを含み、一対の被係止具は、乳幼児保持具の上方に取り付けられる被係合部とを含む。
【００１９】
好ましくは、乳幼児保持具は、左上側部および右上側部を含む背当て部と、背当て部の下方に連なる股当て部と、股当て部の下方に連なる前当て部とによって構成される布材であり、前当て部を折り返し、前当て部の両側部と、背当て部とを連結することによって背当て部と前当て部との間で乳幼児の胴部を保持する空間を形成し、左上側部および右上側部には、被係合部が取り付けられる。
【発明の効果】
【００２０】
本発明によれば、簡単に装着することができ、乳幼児を担ぐ者の肩への負担を軽減することができる子守帯を提供することができる。
【図面の簡単な説明】
【００２１】
【図１】本発明の実施の形態に係る子守帯を前面側から見た外観図である。
【図２】親側装着具を前面側から見た外観図である。
【図３】親側装着具を後面側から見た外観図である。
【図４】乳幼児保持具を前面側から見た外観図である。
【図５】乳幼児保持具を後面側から見た外観図である。
【図６】図５中に示した本体右腕部を矢印ＶＩの方向から見て拡大した拡大斜視図である。
【図７】図５中に示した右突出部を矢印ＶＩＩの方向から見て拡大した拡大斜視図である。
【図８】乳幼児を乳幼児保持具上にのせた状態を示す外観図である。
【図９】乳幼児を乳幼児保持具上に保持した状態を示す外観図である。
【図１０】乳幼児保持具をのせた乳幼児を乳母車に装着した状態を示す外観図である。
【図１１】乳幼児を担ぐ者に親側装着具を装着した状態を示す外観図である。
【図１２】前面縦向き抱っこをするための手順を示す図であって、親側装着具の第１係合部と乳幼児保持具の第１被係合部とを連結する方法を示す外観図である。
【図１３】図１２に示す状態から、親側装着具の第１面ファスナと乳幼児保持具の第２面ファスナとを連結状態を示す外観図である。
【図１４】親側装着具の第１連結具の長さを調節する状態を示す外観図である。
【図１５】図１４に示す状態から、親側装着具の第２係合部と乳幼児保持具の第２被係合部との連結状態を示す外観図である。
【図１６】補助シートを前面側から見た外観図である。
【図１７】補助シートを後面側から見た外観図である。
【図１８】補助シートを乳幼児保持具に取り付けた状態を前面側から見た外観図である。
【図１９】補助シートを乳幼児保持具に取り付けた状態を後面側から見た外観図である。
【図２０】臀部高さ調節部材の斜視図である。
【図２１】第１面ファスナと第２面ファスナとの間に臀部高さ調節部材を取り付け、補助シートを取り付けた乳幼児保持具を親側装着具に取り付けた状態を示す外観図である。
【図２２】後面縦向き抱っこを示す図であって、乳幼児を担ぐ者に親側装着具を装着し、親側装着具の第１面ファスナ上に乳幼児保持具の第２面ファスナを連結させる状態を示す外観図である。
【図２３】図２２に示す状態から、乳幼児保持具の上に乳幼児を乗せて、乳幼児を乳幼児保持具に保持した状態を示す外観図である。
【図２４】図２３に示す状態から、第１連結具を連結した状態を示す外観図である。
【図２５】図２４に示す状態から、乳幼児保持具に保持した乳幼児をカバー部材で覆った状態を示す外観図である。
【図２６】図２５に示す状態から、第２連結具を連結した状態を示す外観図である。
【図２７】図２６に示す状態から、後面縦向き抱っこの状態を示す外観図である。
【図２８】おんぶするための手順を示す図であって、乳幼児保持具を親側装着具に取り付けた状態を示す外観図である。
【図２９】図２８に示す状態から、親側装着具の肩ベルトを乳幼児を担ぐ者の両肩に掛ける状態を示す外観図である。
【図３０】図２９に示す状態から、おんぶの状態を示す外観図である。
【発明を実施するための形態】
【００２２】
本発明の実施の形態について図面を参照しながら詳細に説明する。なお、図中同一または相当部分には同一符号を付してその説明は繰り返さない。
【００２３】
＜子守帯について＞
図１は、本発明の実施の形態に係る子守帯１を前面側から見た外観図である。なお、以下の説明において、左右方向および上下方向は、それぞれ、図１の紙面上の左右方向および上下方向を基準とする。
【００２４】
図１を参照して、子守帯１は、乳幼児を担ぐ者（たとえば、親）に装着される親側装着具２と、乳幼児の胴部を保持する乳幼児保持具７とを備える。親側装着具２と乳幼児保持具７とは、分離して設けられる。親側装着具２と乳幼児保持具７とは、第１連結具３３，４３、第２連結具３４，４４、第３連結具５５，５６および第１，２面ファスナ２２，７７で連結される。以下、親側装着具２と乳幼児保持具７について詳細に説明する。
【００２５】
（親側装着具について）
図２は、親側装着具２を前面側から見た外観図であり、図３は、親側装着具２を後面側から見た外観図である。図２，３を参照して、親側装着具２について説明する。
【００２６】
親側装着具２は、乳幼児と親との間に配置されるシート部材２０と、乳幼児と親の両肩に掛けられる一対のループ状肩ベルト３と、親側装着具２に連結された乳幼児保持具７（図４，５）を下から持ち上げるように覆うカバー部材５０と、親の腰に装着される腰ベルト６０とを含む。
【００２７】
まず、シート部材２０について説明する。シート部材２０は、装着時において、親と乳幼児との間に配置される部材である。シート部材２０は、たとえば、正面視略矩形形状の部材であり、通気性を考慮して、薄手のメッシュ生地が用いられる。シート部材２０の略中央部分には、下述する臀部高さ調節部材１４０と連結する面ファスナ２１が設けられていてもよい。
【００２８】
次に、肩ベルト３について説明する。一対のループ状肩ベルト３は、左右一対のベルトであって、右ベルト３０と左ベルト４０とを有する。
【００２９】
右ベルト３０は、上方に位置し親の肩に掛けられる第１ベルト３１と、第１ベルト３１の下端部に長さ調整可能に連結されている第２ベルト３２とから構成されている。右ベルト３０の上端は、シート部材２０の右上端に縫い付けられている。第２ベルト３２の下端は、シート部材２０の右側端に縫い付けられている。これにより、右ベルト３０は、ループ状にシート部材２０に取り付けられる。
【００３０】
第１ベルト３１の幅方向中央部には、長手方向に延びる帯部３１０が縫い付けられている。第１ベルト３１は、使用時において、担ぐ者の左肩に掛け渡されるため適度な弾性を有する材料によって構成されている。また、第２ベルト３２の長さを調整することによって、右ベルト３０の長さを担ぐ者の体型に適合させることができる。
【００３１】
右ベルト３０の一方端部分、すなわち、第１ベルト３１の上方部分には、乳幼児保持具７の上方部分と着脱可能に連結する第１連結具３３が設けられる。第１連結具３３は、右ベルト３０の一方端部分に取り付けられた係止具３３０と、後述する乳幼児保持具７の上方に取り付けられた被係止具９６（図４，５）とを含み、係止具３３０および被係止具９６のうちの少なくとも一方は、長さ調節可能である。具体的には、係止具３３０は、右ベルト３０の一方端部分から分岐して延びる第１帯体３３１と、第１帯体３３１の先端部に取り付けられる第１係合部３３２とを含む。被係止具９６は、乳幼児保持具７に取り付けられた第１被係合部９６０とを含む。第１被係合部９６０については、後述する。第１帯体３３１は、帯部３１０上の固定部３３３に縫い付けられている。第１係合部３３２は、第１帯体３３１の長手方向に沿って移動可能である。これにより、第１連結具３３は、長さ調節可能である。
【００３２】
右ベルト３０の他方端部分、すなわち、第２ベルト３２の長手方向の略中央部には、後述するカバー部材５０の表面部分と着脱可能に連結する第２連結具３４が設けられる。第２連結具３４は、右ベルト３０の他方端部分から分岐して延びる第２帯体３４０と、第２帯体３４０の先端部に取り付けられる第２係合部３４１と、カバー部材５０の表面部分に取り付けられる第２被係合部５２（図３）とを含む。第２被係合部５２については、後述する。第２帯体３４０は、第１ベルト３１の下端部に縫い付けられ、第１ベルト３１から分岐している。なお、第２ベルト３２の長手方向の略中央部には、第２ベルト３２および第２帯体３４０の外周を覆う筒状部３２０が第２ベルト３２の長手方向に移動可能に設けられている。これにより、親が装着した状態で、第２帯体３４０だけが下方に垂れ下がることを防止することができる。なお、第２帯体３４０は、第２ベルト３２の途中位置から分岐していてもよい。この場合、第２帯体３４０と第２ベルト３２の分岐点は、筒状部３２０内であることが好ましい。
【００３３】
右ベルト３０と同様に、左ベルト４０は、上方に位置し親の肩に掛けられる第１ベルト４１と、第１ベルト４１の下端部に長さ調整可能に連結されている第２ベルト４２とから構成されている。右ベルト３０の上端は、シート部材２０の左上端に縫い付けられている。第２ベルト４２の下端は、シート部材２０の左側端に縫い付けられている。これにより、右ベルト３０は、ループ状にシート部材２０に取り付けられる。
【００３４】
第１ベルト４１の幅方向中央部には、長手方向に延びる帯部４１０が縫い付けられている。第１ベルト４１は、使用時において、担ぐ者の左肩に掛け渡されるため適度な弾性を有する材料によって構成されている。また、第２ベルト４２の長さを調整することによって、左ベルト４０の長さを担ぐ者の体型に適合させることができる。
【００３５】
左ベルト４０の一方端部分、すなわち、第１ベルト４１の上方部分には、乳幼児保持具７の上方部分と着脱可能に連結する第１連結具４３が設けられる。第１連結具４３は、左ベルト４０の一方端部分に取り付けられた係止具４３０と、後述する乳幼児保持具７の上方に取り付けられた被係止具８６（図４，５）とを含み、係止具４３０および被係止具８６のうちの少なくとも一方は、長さ調節可能である。具体的には、係止具４３０は、左ベルト４０の一方端部分から分岐して延びる第１帯体４３１と、第１帯体４３１の先端部に取り付けられる第１係合部４３２とを含む。被係止具８６は、乳幼児保持具７に取り付けられた第１被係合部８６０とを含む。第１被係合部８６０については、後述する。第１帯体４３１は、帯部４１０上の固定部４３３に縫い付けられている。第１係合部４３２は、第１帯体４３１の長手方向に沿って移動可能である。これにより、第１連結具４３は、長さ調節可能である。
【００３６】
左ベルト４０の他方端部分、すなわち、第２ベルト４２の略中央部には、後述するカバー部材５０の表面部分と着脱可能に連結する第２連結具４４が設けられる。第２連結具４４は、左ベルト４０の他方端部分から分岐して延びる第２帯体４４０と、第２帯体４４０の先端部に取り付けられる第２係合部４４１と、カバー部材５０の表面部分に取り付けられる第２被係合部５３（図３）とを含む。第２被係合部５３については、後述する。第２帯体４４０は、第１ベルト４１の下端部に縫い付けられ、第１ベルト４１から分岐している。なお、第２ベルト４２の長手方向の略中央部には、第２ベルト４２および第２帯体４４０の外周を覆う筒状部４２０が第２ベルト４２の長手方向に移動可能に設けられている。これにより、親が装着した状態で、第２帯体４４０だけが下方に垂れ下がることを防止することができる。なお、第２帯体４４０は、第２ベルト４２の途中位置から分岐していてもよい。この場合、第２帯体４４０と第２ベルト４２の分岐点は、筒状部４２０内であることが好ましい。
【００３７】
肩ベルト３は、上方において、右ベルト３０と左ベルト４０との間の距離を適宜に保持し、親の肩から肩ベルト３が滑り落ちることを防止するためのブリッジベルト３５を有する。ブリッジベルト３５の右端は、右ベルト３０に取り付けられる帯体３５２と、帯体３５２に取り付けられる雌バックル３５０とを含む。ブリッジベルト３５の左端は、左ベルト４０に取り付けられる帯体３５３と、帯体３５３に取り付けられる雄バックル３５１とを含む。帯体３５２，３５３は、第１ベルト３１，４１の延在方向に対して多少スライド移動可能となるように、第１ベルト３１，４１にそれぞれ取り付けられている。
【００３８】
次に、カバー部材５０について説明する。カバー部材５０の説明は、図２，３の紙面上の上下方向を基準に説明する。カバー部材５０は、たとえば、正面視略矩形形状の部材であり、薄手のメッシュ生地が用いられる。カバー部材５０は、シート部材２０の下端縁に縫い付けられている。カバー部材５０の下方側端部には、乳幼児保持具７と着脱可能に連結する第３連結具５５，５６が設けられている。第３連結具５５は、カバー部材５０の下方側右端部に設けられる留め具５５０と、乳幼児保持具７の背当て部７０の上方側左端部に設けられる留め具７００（図５）とを含む。留め具７００については、後述する。また、第３連結具５６は、カバー部材５０の下方側左端部に設けられる留め具５６０と、乳幼児保持具７の背当て部７０の上方側左端部に設けられる留め具７０１（図５）とを含む。留め具７０１については、後述する。
【００３９】
カバー部材５０の強度を向上させるために、カバー部材５０には、斜めに延びるベルト部材５７，５８が正面視略Ｘ字形状に縫い付けられている。具体的には、ベルト部材５７は、留め具５５０からシート部材２０の左側端縁に向かって斜め方向に延びる。ベルト部材５８は、留め具５６０からシート部材２０の右側下端縁に向かって斜め方向に延びる。ベルト部材５７，５８およびシート部材２０の下端縁で囲まれる領域５９０が形成される。これにより、強度的に弱いメッシュ状素材であっても、シート部材２０の強度が損なわれるおそれがない。
【００４０】
図３を特に参照して、カバー部材５０の後面側には、第２連結具３４，４４を構成する第２被係合部５２，５３が設けられる。第２被係合部５２，５３は、カバー部材５０に縫い付けられる帯状の帯状部材５４の両端に取り付けられる。
【００４１】
具体的には、第２連結具３４の第２係合部３４１は、一対のボタン部３４３と、ボタン部３４３を内側に押すことで、開口の大きさを変更することができる開口部３４２とを有する。第２被係合部５２は、開口部３４２に挿入する突出部５２１を有する。第２係合部３４１のボタン部３４３を内側に押して、開口部３４２の大きさを大きくし、第２被係合部５２の突出部５２１を開口部３４２に挿入することで、第２係合部３４１と第２被係合部５２とを連結することができる。
【００４２】
同様に、第２連結具４４の第２係合部４４１は、一対のボタン部４４３と、ボタン部４４３を内側に押すことで、開口の大きさを変更することができる開口部４４２とを有する。第２被係合部５３は、開口部４４２に挿入する突出部５３１を有する。第２係合部４４１のボタン部４４３を内側に押して、開口部４４２の大きさを大きくし、第２被係合部５３の突出部５３１を開口部４４２に挿入することで、第２係合部４４１と第２被係合部５３とを連結することができる。このような構造により、親は、第２連結具３４，４４を片手による簡単な操作で連結したり、連結を解除したりすることができる。
【００４３】
次に、腰ベルト６０について説明する。腰ベルト６０は、シート部材２０の下方に位置し、親の腰に装着される。腰ベルト６０は、左右方向に延在し、親の腰に巻かれる腰当て部６１と、腰当て部６１の両端にそれぞれ設けられた雌バックル６３および雄バックル６４を有する。腰当て部６１の左右方向中央部の上端が、シート部材２０の下端部およびカバー部材５０の上端部に縫い付けられて連結されている。
【００４４】
図２を参照して、カバー部材５０とシート部材２０との間には、第１面ファスナ２２が延出する。第１面ファスナ２２は、略矩形形状であり、その上方端がカバー部材５０とシート部材２０との間に縫い付けられている。第１面ファスナ２２は、シート部材２０と対向する面が、連結面である。第１面ファスナ２２は、乳幼児保持具７の第２面ファスナ７７と連結する。第２面ファスナ７７については、後述する。なお、カバー部材５０は、後述する臀部高さ調節部材１４０（図２０）と連結してもよい。この場合、シート部材２０の横方向中央部の下方位置には、臀部高さ調節部材１４０と連結するためのファスナ部２３が設けられてもよい。臀部高さ調節部材１４０については、後述する。
【００４５】
（乳幼児保持具について）
次に、図４〜７を用いて、本発明の一実施形態における乳幼児保持具７について説明する。図４は、乳幼児保持具７を前面側から見た外観図である。図５は、乳幼児保持具７を後面側から見た外観図である。図６は、図５中に示した本体右腕部８０を矢印ＶＩの方向から見て拡大した拡大斜視図である。図７は、図５中に示した右突出部１００を矢印ＶＩＩの方向から見て拡大した拡大斜視図である。
【００４６】
図４〜７を参照して、乳幼児保持具７は、保持する乳幼児の背を背後から支持する背当て部７０と、背当て部７０の下方に連なり乳幼児の足股部を支持する股当て部７１と、股当て部７１の下方に連なり乳幼児の下腹部を前方から支持する前当て部７２とを有する。乳幼児保持具７は、布製部材によって構成されている。この布製部材は、クッション材料を内包していてもよい。また、乳幼児保持具７は、広がりを持った薄い形状を有し、自在に屈曲することができる。
【００４７】
背当て部７０の右上側部には、左ベルト４０に設けられた第１係合部４３２と連結する第１被係合部８６０を有する本体右腕部８０が、右上方へ向けて突出するように設けられている。また、背当て部７０の左上側部には、右ベルト３０に設けられた第１係合部３３２と連結する第１被係合部９６０を有する本体左腕部９０が、左上方へ向けて突出するように設けられている。
【００４８】
ここで、本体右腕部８０について詳しく説明する。図６に示すように、本体右腕部８０は、本体右腕部８０の前面側に位置する右腕部前部８１と、本体右腕部８０の後面側に位置する右腕部後部８２とを含む。右腕部前部８１および右腕部後部８２は、ともに下端部において背当て部７０の右上側部に連結している。右腕部前部８１および右腕部後部８２は、前述の右上側部から右上方へ向けてそれぞれ突出し、本体右腕部８０の上端部において、前後に分割された構成となっている。
【００４９】
右腕部前部８１および右腕部後部８２における対向する互いの両側部同士が、下端部から上方の所定の位置までの領域に亘って、縫製加工により形成された縫部８３，８４によって連結されている。これにより、縫部８３，８４が設けられている領域においては、右腕部前部８１と、右腕部後部８２と、右腕部前部８１および右腕部後部８２の両側に設けられた縫部８３，８４とによって囲まれた領域に袋状の空間８５が形成される。
【００５０】
この袋状の空間８５の内部に、左ベルト４０に設けられた第１係合部４３２と連結する第１被係合部８６０が、略全体を覆われるように内設されている。また、右腕部前部８１および右腕部後部８２の上部中央には、互いに係合し一対となる留め具８７、８８が設けられている。したがって、右ベルト３０が乳幼児保持具７から取り外されている状態においては、留め具８７、８８を互いに連結することによって、第１被係合部８６０を外部から完全に覆い隠すことが可能となる。なお、右腕部前部８１には、後述する補助シート１３０の留め具１３５と連結する留め具８９が設けられる。
【００５１】
前述のように、背当て部７０の左上側部には、本体左腕部９０が、設けられている。本体左腕部９０も、本体右腕部８０と同様に、本体左腕部９０の前面側に位置する左腕部前部９１と、本体左腕部９０の後面側に位置する左腕部後部９２とを有し、これらと縫部９３，９４とによって囲まれた領域に袋状の空間(図示せず)が、形成されている。その空間の内部に、右ベルト３０に設けられた第１係合部３３２と連結する第１被係合部９６０が内設されている。また、左腕部前部９１および左腕部後部９２の上部中央に設けられた留め具９７，９８を互いに連結すると、第１被係合部９６０が、外部から完全に覆い隠される。なお、左腕部前部９１には、後述する補助シート１３０の留め具１３６と連結する留め具９９が設けられる。
【００５２】
前当て部７２の右下側部７３には、下述する雌バックル１０６と連結する雄バックル７４が、左下方へ向けて突出するように設けられている。また、股当て部７１の左下側部７５には、下述する雌バックル１１６と連結する雄バックル７６が、右下方へ向けて突出するように設けられている。
【００５３】
背当て部７０の上下方向中央部の右側側部には、股当て部７１の右下側部７３に設けられた雄バックル７４と連結する雌バックル１０６を有する右突出部１００が、右方へ向けて突出するように設けられている。また、背当て部７０の上下方向中央部の左側側部には、前当て部７２の左下側部７５に設けられた雄バックル７６と連結する雌バックル１１６を有する左突出部１１０が、右方へ向けて突出するように設けられている。
【００５４】
ここで、右突出部１００について詳しく説明する。図７に示すように、右突出部１００は、右突出部１００の前面側に位置する右突出前部１０１と、右突出部１００の後面側に位置する右突出後部１０２とを含む。右突出前部１０１および右突出後部１０２は、ともに右端部において背当て部７０の右側部に連結している。右突出前部１０１および右突出後部１０２は、前述の右側部から右方へ向けてそれぞれ突出し、右突出部１００の左端部において、前後に分割された構成となっている。
【００５５】
右突出前部１０１および右突出後部１０２における対向する互いの両側部同士が、下端部から上方の所定の位置までの領域に亘って、縫製加工により形成された縫部１０３，１０４によって連結されている。これにより、縫部１０３，１０４が設けられている領域においては、右突出前部１０１と、右突出後部１０２と、右突出前部１０１および右突出後部１０２の両側に設けられた縫部１０３，１０４とによって囲まれた領域に袋状の空間１０５が形成される。この袋状の空間１０５の内部に、前当て部７２の右下側部７３に設けられた雄バックル７４と連結する雌バックル１０６が、略全体を覆われるように内設されている。
【００５６】
前述のように、背当て部７０の左側部には、左突出部１１０が、設けられている。左突出部１１０も、右突出部１００と同様に、左突出部１１０の前面側に位置する左突出前部１１１と、左突出部１１０の後面側に位置する左突出後部１１２とを有し、これらと縫部１１３，１１４とによって囲まれた領域に袋状の空間(図示せず)が、形成されている。そして、その空間の内部に、左下側部７５に設けられた雄バックル７６と連結する雌バックル１１６が、内設されている。前当て部７２の上下方向中央部の左側側部には、前当て部７２の左下側部７５に設けられた雄バックル７６と連結する雌バックル１１６を有する左突出部６５が、左方へ向けて突出するように設けられている。
【００５７】
股当て部７１は、適度な弾性を有する芯材（図示せず）を内部に含む。この芯材によって、使用時に乳幼児の足股にかかる負荷を軽減させ、乳幼児の快適性を向上させることができる。また、股当て部７１の後面には、上述した第１面ファスナ２２と連結する第２面ファスナ７７が設けられている。なお、股当て部７１の左右両側部には、股当て部７１の両側から延出して、乳幼児の脚に当たる脚保持部７８が設けられていてもよい。
【００５８】
＜子守帯の装着方法について＞
（乳幼児保持具の包み込み方法について）
図８は、乳幼児を乳幼児保持具７上にのせた状態を示す外観図であり、図９は、乳幼児を乳幼児保持具７上に保持した状態を示す外観図である。
【００５９】
乳幼児を乳幼児保持具７に包み込む方法を説明する。図８に示すように、乳幼児を乳幼児保持具７上に寝かせる。図９に示すように、乳幼児保持具７の前当て部７２を乳幼児のお腹付近に被せる。右突出部１００の雌バックル１１６と、右下側部７３の雄バックル７４とを連結する。さらに、左突出部１１０の雌バックル１０６と、左下側部７５の雄バックル７６とを連結する。これにより、乳幼児の胴部を乳幼児保持具７で包むことができる。
【００６０】
図１０は、乳幼児保持具７で包まれた乳幼児を乳母車１２０に乗せた状態を示す外観図である。図１０に示すように、乳幼児保持具７で包まれた乳幼児は、乳母車１２０に乗せることができる。具体的には、親は、乳幼児保持具７に包まれた乳幼児を乳母車１２０の座席部１２４に乗せ、乳母車１２０の乳母車用腰ベルト１２３，乳母車用肩ベルト１２２および乳母車用股ベルト１２１を取り付ける。これにより、乳幼児を乳幼児保持具７で包み込んだ状態で、乳幼児を乳母車１２０に乗せることができる。また、乳幼児保持具７の背当て部７０の後面部には、凹凸形状の部材がなく滑らかであるため、乳母車１２０に乗せたとしても、乳幼児は、快適に過ごすことができる。
【００６１】
（親側装着具の装着方法について）
図１１は、乳幼児を担ぐ者に親側装着具２を装着した状態を示す外観図である。図１１を参照して、右ベルト３０を親の左肩に掛け、左ベルト４０を親の右肩に掛け、親の背中に位置するブリッジベルト３５（図２，３）を連結する。さらに、親の腰に腰ベルト６０の腰当て部６１を当て、雌バックル６３および雄バックル６４を連結して、腰ベルト６０を装着する。カバー部材５０は、腰ベルト６０の前方から垂れ下がっている状態である。
【００６２】
（前面縦向き抱っこについて）
図１２は、前面縦向き抱っこをするための手順を示す図であって、親側装着具２の第１係合部３３２，４３２と乳幼児保持具７の第１被係合部８６０，９６０との連結する方法を示す外観図である。図１３は、図１２に示す状態から、親側装着具２の第１面ファスナ２２と乳幼児保持具７の第２面ファスナ７７とを連結状態を示す外観図である。図１４は、図１３に示す状態から、親側装着具２の第１連結具３３，４３の長さを調節する状態を示す外観図である。図１５は、図１４に示す状態から、親側装着具２の第２係合部５３，５２と乳幼児保持具の第２被係合部３４１，４４１との連結状態を示す外観図である。
【００６３】
図１２〜１５を参照して、前面縦向き抱っこ（向かい合わせ縦抱っこ）で、親側装着具２と乳幼児保持具７とを連結する方法を説明する。まず、乳幼児保持具７の上方部分と、一対の肩ベルト３の一方端部分とを第１連結具３３，４３で連結する。具体的には、図１２に示すように、右ベルト３０から分岐して延びる第１帯体３３１の先端部に取り付けられる第１係合部３３２と、乳幼児保持具７の本体左腕部９０に設けられる第１被係合部９６０とを連結させる。この場合、第１係合部３３２は、長さ調節可能であり、第１帯体３３１に沿って上下方向に移動可能である。第１係合部３３２を第１帯体３３１の先端に移動させた後、第１係合部３３２と第１被係合部９６０とを連結させる。
【００６４】
同様に、左ベルト４０から分岐して延びる第１帯体４３１の先端部に取り付けられる第１係合部４３２と、乳幼児保持具７の本体右腕部８０に設けられる第１被係合部８６０とを連結させる。この場合、第１係合部４３２は、長さ調節可能であり、第１帯体４３１に沿って上下方向に移動可能である。第１係合部４３２を第１帯体４３１の先端に移動させた後、第１係合部４３２と第１被係合部９６０とを連結させる。
【００６５】
従来の子守帯は、乳幼児保持具７を親側装着具２に連結する場合、親は乳幼児の近くまで寝そべるように前屈みにならなければならず、親の負担が多大なものであった。しかし、本実施の形態では、第１連結具３３，４３を長さ調節可能に設けている。これにより、第１係合部３３２，４３２の位置を第１帯体３３１，４３１の先端に移動させると、第１係合部３３２，４３２と第１被係合部８６０，９６０とを近づけることができるため、親は、第１連結具３３，４３を連結する際に、乳幼児の近くまで寝そべるように前屈みになる必要はない。さらに、第１係合部３３２，４３２を見やすい位置に移動させることが可能になり、第１連結具３３，４３の連結操作を容易に、かつ、確実に行うことができる。
【００６６】
図１３に示すように、親は、乳幼児の臀部を両手で抱き上げ、親側装着具２の第１面ファスナ２２と、乳幼児保持具７の股当て部７１の第２面ファスナ７７の位置とを合わせる。さらに、下方に垂れていた第１面ファスナ２２を上方に移動させ、乳幼児保持具７を上方に持ち上げるように第１面ファスナ２２と第２面ファスナ７７とを連結する。この作業は、第１連結具３３，４３で一旦連結した後の作業であるため、安定した状態で行うことができる。さらに、乳幼児の加重を両手だけで支える必要がないため、親の負担を軽減できる。
【００６７】
図１４に示すように、第１連結具３３，４３の第１帯体３３１，４３１の長さを調節する。具体的には、第１帯体３３１，４３１の先端部を引張り、第１係合部３３２，４３２の位置を調整し、乳幼児保持具７と親側装着具２の距離を近づける。
【００６８】
図１５（Ａ）に示すように、カバー部材５０で乳幼児保持具７を下から持ち上げるように覆い、第３連結具５５，５６を連結した後、第２連結具３４，４４を連結させる。具体的には、カバー部材５０を乳幼児保持具７の背当て部７０を包むように持ち上げる。次に、カバー部材５０の留め具５５０と、乳幼児保持具７の背当て部７０に設けられる留め具７０１とを連結する。同様に、カバー部材５０の留め具５６０と、乳幼児保持具７の背当て部７０に設けられる留め具７００とを連結する。さらに、図１５（Ｂ）を特に参照して、カバー部材５０の第２被係合部５２と、第２係合部３４１とを連結する。同様に、カバー部材５０の第２被係合部５３と、第２係合部４４１とを連結する。具体的には、第２係合部３４１のボタン部３４３を内側に押して、開口部３４２の大きさを大きくし、第２被係合部５２の突出部５２１を開口部３４２に挿入することで、第２係合部３４１と第２被係合部５２とを連結する。同様に、第２係合部４４１のボタン部４４３を内側に押して、開口部４４２の大きさを大きくし、第２被係合部５３の突出部５３１を開口部４４２に挿入することで、第２係合部４４１と第２被係合部５３とを連結する。
【００６９】
これにより、親側装着具２と乳幼児保持具７とは、第１連結具３３，４３だけでなく、第２連結具３４，４４で連結されているため、乳幼児の加重を第１連結具３３，４３と第２連結具３４，４４との２点に分散することができ、親の負担を軽減することができる。さらに、乳幼児保持具７に腰ベルト６０が設けられることで、乳幼児の加重を３点に分散することができ、より親の負担を軽減することができる。なお、これらの連結は、片手で行うことができ、しかも、目視する必要はないため、親側装着具２と乳幼児保持具７との連結を簡単に行うことができる。
【００７０】
＜子守帯の他の部材について＞
（補助シートについて）
図１６は、補助シートを前面側から見た外観図である。図１７は、補助シートを後面側から見た外観図である。図１６，１７を参照して、補助シート１３０について説明する。
【００７１】
補助シート１３０は、首すわり前の新生児の場合に使用する部材であり、適度な弾性を有する芯材を内部に含む。補助シート１３０は、使用時に乳幼児の頭部を覆うヘッドサポート１３１と、ヘッドサポート１３１の下方に位置し、乳幼児の背を背後から支持する背中保持部材１３２とが設けられている。
【００７２】
背中保持部材１３２の後面部の両側上部には、円環部１３３，１３４が設けられる。円環部１３３，１３４は、帯状部材の長手方向両端部が背中保持部材１３２に縫い付けられることにより、円環形状となる。円環部１３３の中央部には、乳幼児保持具７に設けられた留め具８９と係合する留め具１３５が取り付けられている。ここで、留め具１３５は、留め具１３５の係合部が円環部１３３の内周側に突出するように円環部１３３に取り付けられる。また、円環部１３４の前面側中央部には、乳幼児保持具７に設けられた留め具９９と係合する留め具１３６が、留め具１３５と同様に取り付けられている。補助シート１３０を利用することにより、使用時において、乳幼児を保持する場合の安定性や、保持される乳幼児の快適性を向上させることができる。
【００７３】
次に、図１８，１９を用いて、補助シート１３０を乳幼児保持具７に取り付ける方法について説明する。まず、補助シート１３０を乳幼児保持具７上にのせる。さらに、本体左腕部９０を円環部１３４に挿通し、本体左腕部９０に設けられた留め具９９と、円環部１３４に設けられた留め具１３６とを連結する。同様に、本体右腕部８０を円環部１３３に挿通し、本体右腕部８０に設けられた留め具８９と、円環部１３３に設けられた留め具１３５とを連結する。この作業によって、乳幼児保持具７は、補助シート１３０と連結される。
【００７４】
（臀部高さ調節部材について）
図２０は、臀部高さ調節部材１４０の斜視図である。図２０を参照して、臀部高さ調節部材１４０について説明する。
【００７５】
臀部高さ調節部材１４０は、乳幼児の臀部の位置を上方にもたらす部材であり、たとえば、首すわり前の新生児、体格が小さい乳幼児の場合に使用される。臀部高さ調節部材１４０は、略立方体形状の部材であり、適度な弾性を有する芯材を内部に含む。臀部高さ調節部材１４０の一辺には、親側装着具２のファスナ部２３に連結されるファスナ部１４１が縫い付けられている。さらに、臀部高さ調節部材１４０の一面には、親側装着具２の第１面ファスナ２２と連結する臀部面ファスナ１４２が設けられる。なお、臀部高さ調節部材１４０には、上述した親側装着具２のシート部材２０に設けられる面ファスナ２１と連結する面ファスナ（図示せず）が設けられていてもよい。
【００７６】
＜子守帯の他の装着方法について＞
（補助シートおよび臀部高さ調節部材の装着方法について）
図２１は、第１面ファスナ２２と第２面ファスナ７７との間に臀部高さ調節部材１４０を取り付け、補助シート１３０を取り付けた乳幼児保持具７を親側装着具２に取り付けた状態を示す外観図である。図２１を参照して、臀部高さ調節部材１４０と補助シート１３０とを用いて、親側装着具２と乳幼児保持具７とを連結する方法について説明する。上述した親側装着具２と乳幼児保持具７との連結方法と異なる点のみ説明する。
【００７７】
図１８，１９で示すように、乳幼児保持具７に補助シート１３０を連結する。親側装着具２の第１面ファスナ２２と乳幼児保持具７の第２面ファスナ７７とを連結する前に、親側装着具２のファスナ部２３と臀部高さ調節部材１４０のファスナ部１４１を連結する。さらに、臀部高さ調節部材１４０上に乳幼児保持具７の股当て部７１を載置する。次いで、親側装着具２の第１面ファスナ２２を臀部高さ調節部材１４０の臀部面ファスナ１４２および乳幼児保持具７の第２面ファスナ７７に連結させる。
【００７８】
この作業によって、乳幼児の臀部の位置を高くし、頭の位置が高くすることができるため、体の小さな新生児にも使用することができる。また、臀部高さ調節部材１４０および補助シート１３０は、軽量であるため、部品点数が増えたとしても、親の負担とならない。
【００７９】
（後面縦向き抱っこについて）
図２２は、後面縦向き抱っこを示す図であって、乳幼児を担ぐ者に親側装着具２を装着し、親側装着具２の第１面ファスナ２２上に乳幼児保持具７の第２面ファスナ７７を連結させる状態を示す外観図である。図２３は、図２２に示す状態から、乳幼児保持具７の上に乳幼児を乗せて、乳幼児を乳幼児保持具７に保持した状態を示す外観図である。図２４は、図２３に示す状態から、第１連結具３３，４３を連結した状態を示す外観図である。図２５は、図２４に示す状態から、乳幼児保持具７に保持した乳幼児をカバー部材５０で覆った状態を示す外観図である。図２６は、図２５に示す状態から、第２連結具３４，４４を連結した状態を示す外観図である。図２７は、図２６に示す状態から、後面縦向き抱っこの状態を示す外観図である。図２２〜２７を参照して、後面縦向き抱っこの方法について説明する。
【００８０】
図２２を参照して、親は、右ベルト３０および左ベルト４０を親の肩に掛け、親の背中に位置するブリッジベルト３５（図２，３）を連結し、腰ベルト６０を腰に装着する。さらに、カバー部材５０および第１面ファスナ２２を親の膝の上に垂らし、乳幼児保持具７を親側装着具２のカバー部材５０上に載置する。この場合、乳幼児保持具７の背当て部７０をカバー部材５０側に、前当て部７２をシート部材２０側に向くように配置し、乳幼児保持具７の第２面ファスナ７７と親側装着具２の第１面ファスナ２２とを連結させる。
【００８１】
図２３を参照して、乳幼児保持具７の股当て部７１上に乳幼児を跨がせ、乳幼児保持具７を乳幼児に装着する。具体的には、右下側部７３の雄バックル７４と右突出部１００の雌バックル１０６とを連結し、左下側部７５の雄バックル７６と左突出部１１０の雌バックル１１６とを連結する。
【００８２】
図２４を参照して、第１連結具３３，４３を連結する。具体的には、右ベルト３０から分岐して延びる第１帯体３３１の先端部に取り付けられる第１係合部３３２と、乳幼児保持具７の本体右腕部８０に設けられる第１被係合部８６０とを連結させる。左ベルト４０から分岐して延びる第１帯体４３１の先端部に取り付けられる第１係合部４３２と、乳幼児保持具７の本体左腕部９０に設けられる第１被係合部９６０とを連結させる。これにより、乳幼児の前面側は、背当て部７０で覆われ、乳幼児の臀部は前当て部７２で覆われる。
【００８３】
図２５を参照して、第３連結具５５，５６を連結する。具体的には、カバー部材５０の留め具５６０と乳幼児保持具７の留め具７００とを連結し、カバー部材５０の留め具５５０と乳幼児保持具７の留め具７０１とを連結する。次に、図２６を参照して、第２連結具３４，４４を連結する。具体的には、カバー部材５０の第２被係合部５２と、第２被係合部４４１とを連結する。同様に、カバー部材５０の第２被係合部５３と、第２係合部３４１とを連結する。
【００８４】
続いて、カバー部材５０の留め具５６０と乳幼児保持具７の留め具７００との連結を解除し、カバー部材５０の留め具５５０と乳幼児保持具７の留め具７０１との連結を解除し、親側装着具２のカバー部材５０の上方を第２連結具３４，４４を支点に折り返す。これにより、第２連結具３４，４４がカバー部材５０で覆われるため、乳幼児の手が第２連結具３４，４４に直に当たることがないため、第２連結具３４，４４の連結が不用意に解除されることがない。このような手順で、図２７に示すように乳幼児を後面縦向き抱っこをすることができる。
【００８５】
（おんぶについて）
図２８は、おんぶするための手順を示す図であって、乳幼児保持具７を親側装着具２に取り付けた状態を示す外観図である。図２９は、図２８に示す状態から、親側装着具２の肩ベルト３を乳幼児を担ぐ者の両肩に掛ける状態を示す外観図である。図３０は、図２９に示す状態から、おんぶの状態を示す外観図である。図２８〜３０を参照して、おんぶの方法について説明する。
【００８６】
図２８を参照して、上述の前面縦向き抱っこと同様の方法で、乳幼児を乳幼児保持具７で包み、乳幼児保持具７と親側装着具２とを連結する。具体的には、図８，９で示すように、乳幼児を乳幼児保持具７で包み込み、親側装着具２と乳幼児保持具７とを第１連結具３３，４３、第２第２連結具３４，４４（図１）、第３連結具５５，５６（図１）、および、第１，２面ファスナ２２，７７（図１）であらかじめ連結する。
【００８７】
図２９を参照して、親は、親側装着具２の右ベルト３０および左ベルト４０を肩に掛け、ブリッジベルト３５を連結し、腰ベルト６０を腰に装着する。これにより、図３０に示すように、簡単におんぶすることができる。
【００８８】
なお、本実施の形態では、第１連結具３３，４３の右，左ベルト３０，４０に取り付けられた係止具３３０，４３０は、長さ調節可能に設けられるとして説明したが、被係止具８６，９６が長さ調節可能に設けられてもよい、たとえば、係止具は、被係合具だけでなく、帯体を有し、被係合具が帯体に沿って移動可能であってもよい。
【００８９】
また、上記実施の形態において、乳幼児保持具７で胴部が保持された乳幼児は、乳母車１２０に乗せることができるとしたが、チャイルドシートなどの乳児保持具に乗せることができる。また、乳幼児保持具７で胴部が支持された乳幼児をそのままベッドに寝かせてもよい。上述したように、乳幼児保持具７の背当て部７０の後面部には、凹凸形状の部材がなく滑らかであるため、乳幼児は、乳幼児保持具７で胴部が保持されたとしても、快適に過ごすことができるからである。
【００９０】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【符号の説明】
【００９１】
１  子守帯、２  親側装着具、３  肩ベルト、７  乳幼児保持具、２０  シート部材、２１  面ファスナ、２２  第１面ファスナ、２３，１４１  ファスナ部、３０  右ベルト、４０  左ベルト、３１，４１  第１ベルト、３２，４２  第２ベルト、３３，４３  第１連結具、３４，４４  第２連結具、３５  ブリッジベルト、５０  カバー部材、５２，５３  第２被係合部、５４  帯状部材、５５，５６  第３連結具、５７，５８  ベルト部材、６０  腰ベルト、６１  腰当て部、６３，１０６，１１６，３５０  雌バックル、６４，７４，７６，３５１  雄バックル、６５，１１０  左突出部、７０  背当て部、７１  股当て部、７２  前当て部、７３  右下側部、７５  左下側部、７７  第２面ファスナ、７８  脚保持部、８０  本体右腕部、８１  右腕部前部、８２  右腕部後部、８３，８４，９３，９４，１０３，１０４，１１３，１１４  縫部、８５，１０５  空間、８６，９６  被係止具、８７，８８，８９，９７，９８，９９，１３４，１３５，１３６，５５０，５６０，７００，７０１  留め具、９０  本体左腕部、９１  左腕部前部、９２  左腕部後部、１００  右突出部、１０１  右突出前部、１０２  右突出後部、１１１  左突出前部、１１２  左突出後部、１２０  乳母車、１２１  乳母車用腰ベルト、１２２  乳母車用肩ベルト、１２３  乳母車用股ベルト、１２４  座席部、１３０  補助シート、１３１  ヘッドサポート、１３２  背中保持部材、１３３，１３４  円環部、１４０  臀部高さ調節部材、１４２  臀部面ファスナ、３１０，４１０  帯部、３２０，４２０  筒状部、５２１，５３１  突出部、３３０，４３０  係止具、３３１，４３１  第１帯体、３３２，４３２  第１係合部、３３３，４３３  固定部、３４０，４４０  第２帯体、３４１，４４１  第２係合部、３４２，４４２  開口部、３４３，４４３  ボタン部、３５２，３５３  帯体、５９０  領域、８６０，９６０  第１被係合部。
【図１】
2018064634.tif 000003
【図２】
2018064634.tif 000004
【図３】
2018064634.tif 000005
【図４】
2018064634.tif 000006
【図５】
2018064634.tif 000007
【図６】
2018064634.tif 000008
【図７】
2018064634.tif 000009
【図８】
2018064634.tif 000010
【図９】
2018064634.tif 000011
【図１０】
2018064634.tif 000012
【図１１】
2018064634.tif 000013
【図１２】
2018064634.tif 000014
【図１３】
2018064634.tif 000015
【図１４】
2018064634.tif 000016
【図１５】
2018064634.tif 000017
【図１６】
2018064634.tif 000018
【図１７】
2018064634.tif 000019
【図１８】
2018064634.tif 000020
【図１９】
2018064634.tif 000021
【図２０】
2018064634.tif 000022
【図２１】
2018064634.tif 000023
【図２２】
2018064634.tif 000024
【図２３】
2018064634.tif 000025
【図２４】
2018064634.tif 000026
【図２５】
2018064634.tif 000027
【図２６】
2018064634.tif 000028
【図２７】
2018064634.tif 000029
【図２８】
2018064634.tif 000030
【図２９】
2018064634.tif 000031
【図３０】
2018064634.tif 000032